(57)【要約】【課題】内部に筆記具用インキを収容し、筆記具用インキを滞留するインキ滞留部を有したペン先保護用アダプターを配した容器本体に突出して設けたキャップ嵌合部に、キャップをねじ嵌合してなるインキ収容容器において、キャップをした状態でインキ収容容器を引っ繰り返す等しても、キャップ嵌合部の開口した口元の端面が筆記具用インキで汚れないようにする。【解決手段】キャップ３の内側に、容器本体２の口元部１６を水密に閉塞する栓部２４と、キャップ嵌合部４内に挿入可能な、外側面２６にキャップ嵌合部４の内壁面に水密に接して摺動可能な当接部２７を有した挿入部２２とで構成した蓋栓２５を固定する。【選択図】図１
2011178130.tif 000002
【特許請求の範囲】
【請求項１】
内部に筆記具用インキを収容し、筆記具用インキを滞留するインキ滞留部を有したペン先保護用アダプターを配した容器本体に突出して設けたャップ嵌合部に、キャップをねじ嵌合してなるインキ収容容器において、前記キャップの内側に、キャップ嵌合部の開口した口元の端面に水密に当接可能な栓部と、キャップ嵌合部内に挿入可能で、外側面にキャップ嵌合部の内壁面に水密に接して摺動可能な当接部を有した挿入部とで、キャップ嵌合部の開口した口元部を閉塞する蓋栓を固定し、キャップをキャップ嵌合部にねじ嵌合した時に、蓋栓の挿入部が前記ペン先保護用アダプターに当接してペン先保護用アダプターを容器本体の底部側に押圧するとともに、当接部により容器本体内の筆記具用インキがキャップ嵌合部の口元の端面への流動を防止したことを特徴とするインキ収容容器。
【請求項２】
前記キャップ嵌合部の口元部の内径を他のキャップ嵌合部の内径より大きくして、ペン先保護用アダプターの外壁面がキャップ嵌合部の口元部の内壁面に対向した際に、キャップ嵌合部の口元部の内壁面とペン先保護用アダプターの外壁面との間に、毛細管作用の生じないリング状の空間部を形成してなる、請求項１に記載のインキ収容容器。
【発明の詳細な説明】
【技術分野】
【０００１】
本発明は、筆記具用インキを収容したインキ収容容器に関する。
【背景技術】
【０００２】
万年筆用の筆記具用インキを収容したインキ収容容器については、従来より知られている。こうしたインキ収容容器は、インキ瓶とも呼ばれているように容器本体が硬質のガラスで形成されているのが一般的である。万年筆に筆記具用インキを補給するには、万年筆のペン先部を容器本体内に挿入して筆記具用インキを吸入して補給するが、その際、ペン先を容器本体の内壁面に当てたりしてペン先を傷めてしまうという問題があった。
【０００３】
前記問題を解消するものとして、容器本体内に、内部にインキを滞留するインキ滞留部を有した軟質の合成樹脂で形成した器状のペン先保護用アダプターを挿着したインキ収容容器が提案され販売もされている。
【０００４】
前記ペン先保護用アダプターについては、特開２００７−７６１４４号公報や意匠登録第１１０８８５０号公報等により知られているが、図を用いて簡単に説明すると、図１に示すように、ペン先保護用アダプター６は、容器本体２の突出して設けたキャップ嵌合部４の開口した口元部１９と反対側の底部１０を容器本体２の底部１１に形成した凹部１２に係止して、ペン先保護用アダプター６が容器本体２の内部に略垂直状態の姿勢で維持されるようにしてあり、容器本体２内の筆記具用インキ５をペン先保護用アダプター６のインキ滞留部１５に滞留するようにしてある。万年筆にインキを補給するには、ペン先保護用アダプター６のインキ滞留部１５にペン先部を挿入し、インキ滞留部１５内の筆記具用インキ５を吸入する。
【０００５】
ところで、容器本体内の筆記具用インキの残量が少なくなってくると、キャップ嵌合部にキャップをねじ嵌合してインキ収容容器を傾けたり引っ繰り返す等して、ペン先保護用アダプターのインキ滞留部に筆記具用インキを流動させて補給することが行われるが、ペン先保護用アダプターは、前記したように軟質の合成樹脂で形成してあり比重がインキ収容容器内に収容した筆記具用インキの比重と大差がなく、筆記具用インキに対して浮き上がり易く、ペン先保護用アダプターの挿入口がキャップ嵌合部の口元部に位置してしまうので、キャップ嵌合部の内壁面と該内壁面に対向したペン先保護用アダプターの外壁面との間に形成された微小隙間に毛細管現象により筆記具用インキが滞留し、キャップ嵌合部の開口した口元の端面が筆記具用インキで汚れ、そのインキがキャップ嵌合部の外壁面やキャップの内壁面等に付着し、そのまま放置しておくと付着した筆記具用インキが乾燥し、キャップがキャップ嵌合部に接着してキャップをキャップ嵌合部から取り外し難いという問題があった。
【先行技術文献】
【特許文献】
【０００６】
【特許文献１】特開２００７−７６１４４号公報
【特許文献２】意匠登録第１１０８８５０号公報
【発明の概要】
【発明が解決しようとする課題】
【０００７】
本発明の目的は、内部に筆記具用インキを収容し、筆記具用インキを滞留するインキ滞留部を有したペン先保護用アダプターを配した容器本体に突出して設けたキャップ嵌合部に、キャップをねじ嵌合してなるインキ収容容器において、キャップをした状態でインキ収容容器を引っ繰り返す等しても、キャップ嵌合部の開口した口元の端面が筆記具用インキで汚れないようにすることである。
【課題を解決するための手段】
【０００８】
本発明は、
「１．内部に筆記具用インキを収容し、筆記具用インキを滞留するインキ滞留部を有したペン先保護用アダプターを配した容器本体に突出して設けたャップ嵌合部に、キャップをねじ嵌合してなるインキ収容容器において、前記キャップの内側に、キャップ嵌合部の開口した口元の端面に水密に当接可能な栓部と、キャップ嵌合部内に挿入可能で、外側面にキャップ嵌合部の内壁面に水密に接して摺動可能な当接部を有した挿入部とで、キャップ嵌合部の開口した口元部を閉塞する蓋栓を固定し、キャップをキャップ嵌合部にねじ嵌合した時に、蓋栓の挿入部が前記ペン先保護用アダプターに当接してペン先保護用アダプターを容器本体の底部側に押圧するとともに、当接部により容器本体内の筆記具用インキがキャップ嵌合部の口元の端面への流動を防止したことを特徴とするインキ収容容器。
２．前記キャップ嵌合部の口元部の内径を他のキャップ嵌合部の内径より大きくして、ペン先保護用アダプターの外壁面がキャップ嵌合部の口元部の内壁面に対向した際に、キャップ嵌合部の口元部の内壁面とペン先保護用アダプターの外壁面との間に、毛細管作用の生じないリング状の空間部を形成してなる、前記１項に記載のインキ収容容器。」
である。
【０００９】
本発明において、前記蓋栓の栓部と当接部は、少なくともパッキン作用を有する一般的な当接部材としての天然ゴムや合成ゴムなどで形成するが、挿入部は特にパッキン作用がなくても良いので、挿入部を硬質または軟質な合成樹脂で形成し、栓部と当接部を天然ゴムや合成ゴム等で形成して挿入部に固着または固定して設けても良いし、全体を天然ゴムや合成ゴムで一体に形成して設けても良い。
【発明の効果】
【００１０】
本発明は前記したような構造なので、キャップを容器本体のキャップ嵌合部にねじ嵌合した時は、ペン先保護用アダプターが筆記具用インキに対して浮き上がることがなく、ペン先保護用アダプターの挿入口がキャップ嵌合部の開口した口元の端面より離間してキャップ嵌合部の内部に位置するとともに、蓋栓の挿入部の当接部により、インキ収容容器を傾けたり引っ繰り返す等しても容器本体内の筆記具用インキがキャップ嵌合部の口元の端面へ流動しないので、前記キャップ嵌合部の口元の端面が筆記具用インキで汚れることがない。
【００１１】
さらに、請求項２に係る発明とすることで、キャップ嵌合部の口元部において、キャップ嵌合部の内壁面とペン先保護用アダプターの外壁面との間に、毛細管作用によるインキの滞留がないので、さらに前記端面の筆記具用インキでの汚れ防止効果が向上する。
【図面の簡単な説明】
【００１２】
【図１】本発明のインキ収容容器の実施例を示す、インキ収容容器の断面図である。
【図２】図１におけるキャップの一部を断面した、キャップの拡大断面図である。
【図３】図１におけるペン先保護用アダプターの正面図である。
【図４】他の実施例を示す、キャップの拡大断面図である。
【発明を実施するための形態】
【００１３】
キャップの内側に、キャップを容器本体のキャップ嵌合部にねじ嵌合した際に、ペン先保護用アダプターを容器本体の底部側に押圧し、容器本体内の筆記具用インキがキャップ嵌合部の口元の端面へ流動しないように当接部を有した蓋栓を設ける。
【実施例１】
【００１４】
本発明のインキ収容容器の実施例を図面を用いて説明する。図１〜図３に示す第１の実施例のインキ収容容器１は、従来のインキ瓶と呼ばれているガラス製のインキ収容容器と同様にガラス製の容器本体２と合成樹脂製のキャップ３とからなり、容器本体２はキャップ３をねじ嵌合する突出したキャップ嵌合部４を有した形状で、容器本体２の内部に筆記具用インキ５を収容するものである。容器本体２内には、合成樹脂製で器状のペン先保護用アダプター６を着脱可能に挿着してある。
【００１５】
ペン先保護用アダプター６は、図１および図３に示すように、前記した従来のペン先保護用アダプターと同様に、万年筆等のペン先（図示せず）を挿入するための挿入口７を有した、ペン先を有した軸筒の先端部が挿入可能な大径の本体部８と、各種の万年筆のペン先部が挿入可能なペン先挿入部９で構成されている。ペン先挿入部９の底部１０は容器本体２の底部１１に形成した凹部１２に係止して、ペン先保護用アダプター６が容器本体２の内部に略垂直状態の姿勢で維持されるようにしてある。本体部８の側部１３の対向した２箇所には、貫通したインキ流通孔１４を設けて、容器本体２内の筆記具用インキ５がペン先挿入部９に流動して滞留するようにしてあり、ペン先挿入部９をインキ滞留部１５としてある。
【００１６】
キャップ嵌合部４の開口した口元部１６における内径を他のキャップ嵌合部４の内径より大きくして、ペン先保護用アダプター６の外壁面１８がキャップ嵌合部４の口元部１６の内壁面１７に対向した際に、キャップ嵌合部４の内壁面１７とペン先保護用アダプター６の外壁面１８との間に、毛細管作用の生じないリング状の空間部１９を形成して、口元部１６にインキが滞留しないようにしてある。
【００１７】
図１において、符号２０は万年筆（図示せず）に筆記具用インキ５を補給する際に、万年筆のペン先部をペン先挿入部９に挿入してペン先を装着した軸筒を倒立した状態で保持できるように、前記軸筒を支持するためのペン先保護用アダプター６内に形成した凸部である。
【００１８】
キャップ３の内側には、図１および図２に示すように、キャップ嵌合部４内に挿入可能で、先端を薄肉状の底部２１で閉塞し後端を開口した円筒状の挿入部２２の後端に、キャップ嵌合部４の開口した口元の端面２３に水密に当接可能な鍔状の栓部２４を設けた、合成ゴムで一体に形成した蓋栓２５を固定して配してある。挿入部２２の外側面２６には、周状に突出して形成したキャップ嵌合部４の内壁面に水密に接して摺動可能な当接部２７を、挿入部２２に一体に形成して設けてある。
【００１９】
キャップ３をキャップ嵌合部４にねじ嵌合した時は、蓋栓２５の挿入部２２の底部２１がペン先保護用アダプター６の挿入口７の端部に当接してペン先保護用アダプター６を容器本体２の底部１１側に押圧し、ペン先保護用アダプター６が筆記具用インキ５により浮き上がりを防止する。蓋栓２５の挿入部２２の当接部２７により、インキ収容容器１を傾けたり引っ繰り返しても、筆記具用インキ５がキャップ嵌合部４の口元の端面２３への流動を防止される。また、前記当接部２７がキャップ嵌合部４の内壁面に水密に接して摺動するので容器本体２内の容積は減少して、容器本体内は加圧されるが、前記挿入部２２の底部２１が前記のように形成されているので、底部２１は挿入部２２の内部側に凹み、容器本体２内はあまり加圧されないので、蓋栓２５の挿入部２２のキャップ嵌合部４内への進入に対しする負荷を低減できる。
【実施例２】
【００２０】
図４は第２の実施例を示し、図示していないが、容器本体やペン先保護用アダプターは前記第１の実施例と同様に設けてあり、前記第１の実施例のインキ収容容器との相違点はキャップ５１だけであり、キャップの構造について説明する。本実施例におけるキャップ５１は、内側に、前記実施例と同様に、キャップ嵌合部４の開口した口元の端面２３に水密に当接して口元部１６を閉塞する板状の栓部５２を設け、該栓部５２に、キャップ嵌合部４内に挿入可能で、容易に変形しないような肉厚の側壁で形成した円筒状の挿入部５３を連設した、合成ゴムで一体に形成した蓋栓５４を固定して配してある。挿入部５３の外側面５５には、前記実施例の蓋栓２５と同様の、周状に突出して形成したキャップ嵌合部４の内壁面に水密に接して摺動可能な当接部５６を、挿入部５３に一体に形成して設けてある。
【産業上の利用可能性】
【００２１】
本発明は、液体を収容した瓶等の容器で、容器本体や容器本体のキャップを嵌合するキャップ嵌合部の内部に、容器本体とは別部材の内部材を挿着した構造のものにおいて、容器を傾けたり引っ繰り返す等しても、キャップ嵌合部の開口した口元の端面が内部に収容された液体で汚れ難いようにしたい場合に適用できる。
【符号の説明】
【００２２】
１  インキ収容容器
２  容器本体
３、５１  キャップ
４  キャップ嵌合部
５  筆記具用インキ
６  ペン先保護用アダプター
１１  底部
１５  インキ滞留部
１６  口元部
１７  内壁面
１８  外壁面
１９  空間部
２２、５３  挿入部
２３  端面
２４、５２  栓部
２５、５４  蓋栓
２６、５５  外側面
２７、５６  当接部
【図１】
2011178130.tif 000003
【図２】
2011178130.tif 000004
【図３】
2011178130.tif 000005
【図４】
2011178130.tif 000006